(57)【要約】【課題】雨水貯留用三次元構造体の上面側に、作業者が容易に出入り可能であり、保守点検が容易な検査孔を形成可能な点検孔用部材とこれを用いた雨水貯留構造物を提供する。【解決手段】縦部材３と、横部材２と、これら縦部材３と横部材２に連結可能な接続部材１とを結合することによって組み立てられ内部に空間を形成する雨水貯留用三次元構造体Ａの上面側に、検査孔を形成する。略中央部に作業者が出入り可能な開口部１０ａが形成されている平板状の点検孔用部材本体１０Ａと、この点検孔用部材本体１０Ａの裏面側に設けられた複数の接当部材１５とを有していて、これら接当部材１５が接続部材１に連結される横部材２の外周部と接当することにより、位置固定可能になっている。【選択図】図５
2007308963.tif 000002
【特許請求の範囲】
【請求項１】
縦部材と、横部材と、これら縦部材と横部材に連結可能な接続部材とを結合することによって組み立てられ内部に空間を形成する雨水貯留用三次元構造体の上面側に、検査孔を形成する点検孔用部材において、
略中央部に作業者が出入り可能な開口部が形成されている平板状の点検孔用部材本体と、この点検孔用部材本体の裏面側に設けられた複数の接当部とを有していて、これら接当部が前記接続部材に連結される前記横部材の外周部と接当することにより、位置固定可能になっていることを特徴とする点検孔用部材。
【請求項２】
裏面側に前記横部材とこれに連結された前記接続部材とが固着具により一体に固着されており、前記雨水貯留用三次元構造体の上面側の縦部材に連結して前記検査孔を形成可能になっている請求項１記載の点検孔用部材。
【請求項３】
前記接当部が、前記点検孔用部材本体の表面に形成されたボルト挿通孔を介して固着されたボルトとナットからなる請求項１又は２記載の点検孔用部材。
【請求項４】
前記接続部材が、その外周部に前記横部材の端部と接続可能な突出部を有すると共に、前記点検孔用部材本体の四周隅部の前記接続部材と接する箇所が、前記接続部材の突出部と対面可能に切り欠かれている請求項１〜３のいずれか１項記載の点検孔用部材。
【請求項５】
請求項１〜４のいずれか１項記載の点検孔用部材を備えていて、この点検孔用部材の上方に形成されたマンホールと連通されていると共に、このマンホール周辺に覆土層を有する雨水貯留構造物。
【発明の詳細な説明】
【技術分野】
【０００１】
本発明は点検孔用部材とこれを用いた雨水貯留構造物に関し、詳しくは、縦部材と、横部材と、これら縦部材と横部材に連結可能な接続部材とを結合することによって組み立てられ内部に空間を形成する雨水貯留用三次元構造体の上面側に、検査孔を形成する点検孔用部材とこれを用いた雨水貯留構造物に関する。
【背景技術】
【０００２】
近年、特に都市部で異常降雨や出水、あるいはその逆の異常乾燥といった問題が頻繁に生じており、その原因としてヒートアイランド現象が取り上げられている。かかる現象を緩和するため、雨水を利用する施設の構築が提案されており、雨水貯留構造物あるいは雨水貯留用充填材などの開発が進んでいる。
【０００３】
このような雨水貯留構造物として、例えば、地面にピットを堀り、その外表面に遮水シートを敷設して、その上面に複数の容器状部材を縦横および上下に積み上げ、更に最上部に覆土などを施して被覆し、雨水を貯留する構造物の発明がなされている（特許文献１）。
【０００４】
あるいは、中空体である複数の着脱自在支柱を、連結部材によって垂直に固定してなる雨水貯留用充填材であって、連結部材が着脱自在の連結桟および縁枠により一体的に連結する等して、運搬中における隅部での支柱の脱落を防止できるようにした発明がなされている（特許文献２）。
【０００５】
【特許文献１】特開昭６３−２６８８２３号公報
【特許文献２】特開２００４−１９２０５号公報
【発明の開示】
【発明が解決しようとする課題】
【０００６】
しかしながら、容器状部材や着脱自在支柱と連結部材とからなる雨水貯留用充填材を使用しており、点検用の十分な広さの開口部が形成されていないため、保守点検は実質上できず、永年の使用により土砂が蓄積して所定の機能を発揮し得なくなった場合にも、清掃作業は容易でなく、機能を復帰させることはできない。
【０００７】
そこで、本発明者らは、大きい開口部を確保できて保守点検が容易であり、しかも個々の構成部材から組立を容易にして、現地での組立を可能にすることにより輸送コストを低減でき、かつ雨水貯留浸透槽の形状に対して柔軟に対応可能な雨水貯留構造用部材として、所定長さを有する複数の樹脂製パイプ状部材と連結部材（接続部材）とを連結して三次元構造体に組み立て可能とし、その内部に空間を形成する雨水貯留構造用部材を提案した。
【０００８】
更に、本願発明者は、上記雨水貯留構造用部材を使用して組み立てた三次元構造体において、保守点検が容易な検査孔を形成可能にすべく点検孔用部材の発明を完成した。
【０００９】
そこで、本発明の目的は、上記従来技術の有する問題点に鑑みて、雨水貯留用三次元構造体の上面側に、作業者が容易に出入り可能であり、保守点検が容易な検査孔を形成可能な点検孔用部材とこれを用いた雨水貯留構造物を提供することにある。
【課題を解決するための手段】
【００１０】
上記課題は、各請求項記載の発明により達成される。すなわち、本発明に係る点検孔用部材の特徴構成は、縦部材と、横部材と、これら縦部材と横部材に連結可能な接続部材とを結合することによって組み立てられ内部に空間を形成する雨水貯留用三次元構造体の上面側に、検査孔を形成する点検孔用部材において、略中央部に作業者が出入り可能な開口部が形成されている平板状の点検孔用部材本体と、この点検孔用部材本体の裏面側に設けられた複数の接当部とを有していて、これら接当部が前記接続部材に連結される前記横部材の外周部と接当することにより、位置固定可能になっていることにある。
【００１１】
この構成によれば、裏面側に設けられた複数の接当部を横部材の外周部と接当するようにして雨水貯留用三次元構造体（以下、単に「三次元構造体」ということがある）の上面側に載置することにより、三次元構造体に点検孔用部材を位置固定可能になって、開口部から作業者が容易に出入り可能となり、しかも、既存の三次元構造体に対しても、取り付けることが容易である。その場合、例えば、開口部に続き作業者が三次元構造体の内部に容易に出入りできるように、開口部下方に位置する横部材あるいはこれと接続している縦部材の連結を適宜取り外すようにすればよい。もとより、この点検孔用部材は、ボルトとナットのような一般の安価な固着治具を使用して、三次元構造体の横部材などに固着することが可能である。
【００１２】
その結果、三次元構造体の上面側に、作業者が容易に出入り可能であり、保守点検が容易な検査孔を形成可能な点検孔用部材を提供することができた。
【００１３】
裏面側に前記横部材とこれに連結された前記接続部材とが固着具により一体に固着されており、前記雨水貯留用三次元構造体の上面側の縦部材に連結して前記検査孔を形成可能になっていることが好ましい。
【００１４】
この構成によれば、既存の三次元構造体の上面の縦部材に嵌合させるなどすることにより、連結することが容易となり、点検孔の組み立てが一層簡易となる。
【００１５】
前記接当部が、前記点検孔用部材本体の表面に形成されたボルト挿通孔を介して固着されたボルトとナットからなることが好ましい。
【００１６】
この構成によれば、点検孔用部材本体に複数個のボルト挿通孔を設けるだけで、ボルト挿通孔を介してボルトを挿通させることにより、容易に裏面側に突出する接当部を形成することができ、しかも確実かつ安価に横部材の外周部と接当して位置固定可能にできる。
【００１７】
前記接続部材が、その外周部に前記横部材の端部と接続可能な突出部を有すると共に、前記点検孔用部材本体の四周隅部の前記接続部材と接する箇所が、前記接続部材の突出部と対面可能に切り欠かれていることが好ましい。
【００１８】
この構成によれば、点検孔用部材本体を雨水貯留構造用組立物の上面に一層安定して配設することができる。
【００１９】
また、本発明に係る雨水貯留構造物の特徴構成は、請求項１〜４のいずれか１項記載の点検孔用部材を備えていて、この点検孔用部材の上方に形成されたマンホールと連通されていると共に、このマンホール周辺に覆土層を有することにある。
【００２０】
この構成によれば、組み立てた三次元構造体に対して水平方向から大きな負荷がかかった場合であっても、横部材と接続部材との間で回転作用が生じ難い雨水貯留構造物を提供することができる。
【発明を実施するための最良の形態】
【００２１】
本発明に係る一実施形態を、図面を参照して詳細に説明する。図１は、本実施形態に係る点検孔用部材を用いた雨水貯留構造物の正面断面構造を示し、図２は図１の雨水貯留構造物の平面構造を示す。
【００２２】
この雨水貯留構造物は、一例として下記方法により形成されている。まず、地面に１〜５ｍ程度の地面凹部（ピットということがある）を掘削・形成すると共に、ピット周囲に側溝７を形成し、ピットの底面に砕石、砂などを敷設・施工し平準化して基礎Ｂを形成する。その表面に遮水材である遮水シート４を敷設した後、後述する樹脂製の縦部材３と接続部材１とから、図３に示す単位ブロックを形成しつつ、更に継ぎ足し拡張して、ピットの内容積に応じジャングルジム状をした三次元構造体である雨水貯留構造用組立物Ａを配置する。ピットの内容積が大きい場合には、ピット内で雨水貯留構造用組立物Ａを組み立ててもよいし、雨水貯留構造用組立物Ａをピット外で組み立てた後、ピット内に配置するようにしてもよい。このようにして組み立てた雨水貯留構造用組立物Ａは、樹脂製あるいは金属製などのベルトで締結固定されることが好ましい。
【００２３】
ついで、ピット内に配置された雨水貯留構造用組立物Ａの側面部は、必要に応じて埋め戻しを行うと共に、側溝７よりピット内に雨水を流し込み可能に連通する配管８を敷設し、更に、上面に遮水シートを被覆し、その上から０．５〜１ｍ程度の土砂を被覆して覆土６とする。これら、上面の遮水シート、覆土６などは、被覆層を形成する。また、これら被覆層６の複数箇所には、点検孔５が設けられている。なお、雨水貯留構造用組立物Ａ上面に遮水シートを被覆する代わりに、透水性シートを被覆して雨水を浸透させるようにしてもよい。側溝７は、その底部に泥溜９が形成されるように、底部が幾分深くなっている。
【００２４】
雨水貯留構造用組立物Ａを構成する単位ブロックは、図３に示すように、縦部材３と、横部材２と、これら縦部材３と横部材２に連結可能な接続部材１とを結合して構成されていて、この単位ブロックの多数を連結することにより、内部に空間を形成する雨水貯留構造用組立物Ａを形成する。
【００２５】
接続部材１は、縦部材３に外嵌可能な筒状部１ａと、外周面の４箇所から突出し横部材２の端部と係合して両者を接続する突出部１ｂを有していて、これら突出部１ｂには、後述する横部材２の端部突起２ｂを受け入れて係合する貫通孔１ｃが形成されている。筒状部１ａ内部には、やや小径の貫通孔が形成されて重量軽減が図られていると共に、雨水を下方に移動させて貯留させるようになっている。
【００２６】
縦部材３は樹脂製からなり、所定長さを有し内部空間を有する円筒形をしており、接続部材１の筒状部１ａに内嵌可能になっている。もっとも、縦部材３の内径を大きくして、接続部材１の筒状部１ａに外嵌するように構成してもよい。縦部材３の外周面に、その上下方向に沿って補強用の縦方向リブの複数個を、円周方向に略等間隔で設けてもよい。
【００２７】
横部材２も樹脂製であり、図５に示すように、接続部材１の貫通孔１ｃに上下方向より挿入されて係合する端部突起２ｂを、裏面側の両端部に下向きに形成していると共に、端部突起２ｂどうし（他方は図示略）の間は下方に向けて開口された凹部が形成されている。横部材２の端部突起２ｂが接続部材１の貫通孔１ｃに上下方向より挿入されて係合する際、上下方向からの係合は比較的容易であるが、一旦両者が係合すると、容易には抜け出し難い構造になっている。もっとも、雨水貯留構造用組立物Ａの最上面では、接続部材１の筒状部１ａの内、上部に突出する部分は除かれており、横部材２の上面と略面一になっている。そのため、雨水貯留構造用組立物Ａの上面に被覆される遮水シートが凹凸状にならず平滑になる。図１，２中、図番１１は多量に流れ込んだ雨水を適宜排水する溢流管である。
【００２８】
横部材２の表面側の天面には、図３に示すように、長手方向にわたる浅い凹溝２ｈが形成されており、その底部に水抜き用貫通孔（図示略）が形成されているが、凹溝２ｈの形状、数などは適宜変更でき、水抜き用貫通孔の数、径などについても適宜変更できる。もっとも、凹溝の形状を単なる円弧状にする場合に比べて、波状に形成すると、特に水平方向の変形に対する強度が高まる。
【００２９】
三次元構造体である雨水貯留構造用組立物Ａは、少なくとも１０８ｋＮ／ｍ2以上の上下方向から圧縮強度を有することが好ましい。このようにすれば、最上部に覆土２ｍ程度（負荷：約３６ｋＮ／ｍ2 ）を施工したとしても、土圧の３倍以上となる十分な強度を有する。具体的には、長さ約４０ｃｍの縦部材と長さ４０ｃｍの横部材を組み合わせる場合に６．２５本／ｍ2 となり、少なくとも上下方向からの圧縮強度約１７．２８ｋＮ／本を有する縦部材を用いる。
【００３０】
このようにすることにより、一旦雨水を貯留して、庭園などへの散水、洗浄水、非常用水など各種用途に利用したり、大量の雨水を徐々に放流できるような調整機能を備えさせたりすることができる。しかも、コンクリートで構成する場合に比べて、養生期間などが不要であることから、雨水貯留構造物の構築速度を格段に早くすることができる。
【００３１】
次に、点検孔５について説明する。図１，２では、点検孔５は被覆層６の長手方向の左右２箇所に設けられている。点検孔５として、例えば１号マンホールを採用すると、上面内径約６００ｍｍ、下方では内径約９００ｍｍに拡径された構造をしており、雨水貯留構造用組立物Ａの上面に配設されている点検孔用部材１０と連通する。
【００３２】
雨水貯留構造用組立物Ａの上面に配設される点検孔用部材１０は、図４，５に示すように、４分割された平板状のステンレス鋼からなり、それらの重ねられた端部どうしを互いに締結具であるボルト１２とナット（図示略）により締結されて一体化され構成された点検孔用部材本体１０Ａと、点検孔用部材本体１０Ａに設けられ横部材２の内側内周面に接当可能な接当部である接当部材１５と、を有して構成されている。この接当部材１５と、点検孔用部材本体１０Ａの外周縁部が幾分下方に折り曲げられていることと相まって、横部材２との位置固定が可能となり、雨水貯留構造用組立物Ａの上面に安定して載置することができる。
【００３３】
図４に示す点検孔用部材本体１０Ａは、一辺８００〜８６０ｍｍ角の中心部に、作業者が出入り可能な６００〜６５０ｍｍ径の円形開口部１０ａが形成されて構成されている。この開口部１０ａは、円形に限定されるものではなく、角形など他の形状であってもよい。なお、点検孔用部材本体１０Ａは、ステンレス鋼に限られず、ある程度の強度と雨水に対する耐食性があれば、他の金属製であってもよく、更にはＦＲＰ製、その他の樹脂製やＰＣコンクリート製であってもよい。点検孔用部材本体１０Ａの大きさも、上記大きさに限定されず、一辺のサイズが大きい、例えば一辺１２４５〜１２５５ｍｍ、９００〜９５０ｍｍ開口径のものでもよく、更に大きいサイズのものであってもよく、作業者が出入り可能であればよい。
【００３４】
点検孔用部材１０は、図５に示すように、点検孔用部材本体１０Ａの裏面に、横部材２と接続部材１とが固着具であるボルト１３とナット１４により予め固着されている。すなわち、横部材２と接続部材１とは、上記したように、横部材２の長手方向両端部に形成されている端部突起２ｂ（この表面にもボルト挿通孔２ａ（図３）が形成されている）が接続部材１の貫通孔１ｃに挿入されて嵌合・接続されると共に、これら横部材２と接続部材１および点検孔用部材１０とが、ボルト１３とナット１４によって一体的になるよう固着される。
【００３５】
更に、点検孔用部材１０は、図４，５に示すように、接続部材１を介して互いに略直角方向に連結されている２個の横部材１の内側内周面に接当する接当部材１５を設けている。この接当部材１５は、点検孔用部材本体１０Ａに形成されたボルト挿通孔を通して挿入されたボルト１５ａと、点検孔用部材本体１０Ａの裏面にボルト１５ａのボルト脚を固着するナット１５ｂから構成されている。図５では、ナット１５ｂが互いに直交する２個の横部材２における内側の外周部に接当している例を示す。これにより、安定して位置固定できるものとなる。この接当部材１５は、必ずしもボルト１５ａとナット１５ｂの組み合わせから構成されているものに限られず、例えば、点検孔用部材本体１０Ａに溶接されたボルト形の突起のようなものであってもよい。
【００３６】
また、点検孔用部材本体１０Ａの四周隅部、および各辺の中央部の接続部材１と接する箇所には、接続部材１の突出部１ｂと対面可能に切り欠かれている。この構成と上記した接当部材１５とによって、点検孔用部材本体１０Ａを雨水貯留構造用組立物Ａの上面に一層安定して配設することができる。
【００３７】
＜施工例＞
外径約６０ｍｍ、肉厚約４．０ｍｍ、長さ約４０ｃｍのポリプロピレン製パイプ状縦部材（東洋ゴム工業社製）、長さ約４０ｃｍのポリプロピレン製横部材および接続部材を用いて形成した図３に示すような単位ブロックを、多数連結することにより、高さ約１．６ｍ、縦横約２．４ｍの雨水貯留構造組立物Ａを組み立てて、深さ約３．５ｍの所定内容積を有するピット内に配置し、雨水貯留構造物を構築した。この雨水貯留構造物の２箇所に点検孔である１号マンホールを形成すべく、雨水貯留構造組立物Ａの上面２箇所に、厚み約３ｍｍ、一辺約８５０ｍｍの正方形であり、中央部に約６５０ｍｍ径の円形開口部１０ａを設けたステンレス鋼製の点検孔用部材１０を配設し、その上方を複数段の足場を設けた円形コンクリート枠で１号マンホールを形成し、この１号マンホール周囲を覆土で被覆した。そして、点検孔用部材１０の円形開口部１０ａの直下の位置にある横部材のみ取り除いて、点検孔を確保した。
【００３８】
ポリプロピレン製パイプ状縦部材は、長さ方向の圧縮強度約１４０ｋＮ／４本（３５ｋＮ／本）を有しており、１ｍ2当たり６．２５本を使用すると、圧縮強度約２１９ｋＮ／ｍ2が得られ、覆土を２ｍ（負荷：約３６ｋＮ／ｍ2）とした場合でも、約６倍強の圧縮強度が得られるので、十分に実用的であることがわかる。
【００３９】
また、水平方向から１０％変形（高さ１６０ｃｍに対して１６ｃｍの変形）を加えた場合でも、点検孔や、横部材と接続部材との間で破壊や外れを生じることがなかった。
【００４０】
〔別実施の形態〕
（１）上記実施形態では、点検孔用部材１０の裏面に横部材２と接続部材１とがボルト１３とナット１４により固着されている例を示したが、必ずしも横部材２と接続部材１とが固着されている必要はない。すなわち、点検孔用部材としては、三次元構造体の上部に装着可能で、中央に作業者の出入り可能な開口部が形成されていると共に、周辺部の裏面側に横部材の外周部と接当可能な複数の接当部材を有する板状の部材で構成されていてもよい。この場合も、図５に示すように、接当部材１５をボルトとナットの組み合わせ等から構成して、接続部材１に接続する少なくとも２本の交差する横部材の内側外周部に接当可能にすれば、位置固定されることになる。
【００４１】
（２）上記実施形態では、三次元構造体の上面側に２個の検査孔を設けた例を示したが、検査孔の数は特に限定されず、１個でもよく、３個以上にしてもよい。
【００４２】
（３）上記実施形態では、点検孔用部材が４分割になっていて、互いにボルトとナットで固着する例を示したが、点検孔用部材は一体形でもよいし、２分割あるいは他の分割になっていてもよく、分割形式は特に限定されない。
【００４３】
（４）上記実施形態の雨水貯留構造物において、雨水貯留構造用組立物Ａの内部に貯留された雨水を対流させる対流生成機構が、点検孔を介して挿入可能に構成されていてもよい。対流生成機構としては、例えば、軸先端にスクリュー装置が設けられて、これを雨水貯留構造用組立物Ａの内部に挿入し、電動機などによりスクリュー装置を駆動させる構成が考えられる。
【００４４】
この対流生成機構により、貯留されている雨水を撹拌・対流させ、雨水貯留構造用組立物Ａに付着している土砂などを底部に落下させると共に、これらの土砂および底部に堆積している土砂などを他方側に向けて押しやるようにする。そして、雨水貯留構造用組立物Ａの配置されている他方側に予め形成した、ピットの底部より低い凹所に土砂を集めた後、別の点検孔を介して、長尺のホース等を有して凹所に挿入可能なバキューム装置を用いて、土砂を吸引し外部に排出する。このようにすると、雨水貯留構造物に堆積した土砂を効果的に排出して、貯留した雨水を清浄にでき、雨水の利用範囲が拡大する。
【００４５】
（５）更に、点検孔を介して雨水貯留構造用組立物Ａの内部に曝気装置を挿入可能にしてもよい。このようにすると、内部に貯留されている雨水に新鮮空気を取り入れて適宜曝気させ、酸化させることにより、雨水の清浄化を図り、水質の悪化を防止できる。
【００４６】
（６）上記対流生成機構、曝気装置を、それぞれ着脱自在の構成としてもよいし、雨水貯留構造物に固定してもよく、これらに用いる動力源としては、商用電源の他、可搬式の発電装置や、各種一次電池、二次電池などの電池を使用することができ、更には雨水貯留構造物の地上部に太陽電池発電装置や風力発電装置などを設けて、これから得られた電力を使用するようにしてもよい。
【００４７】
（７）上記実施形態の場合、樹脂製パイプ状をした縦部材の構成材料としてポリプロピレン製を例示したが、これに限定されるものではなく、ポリエチレン、ポリ塩化ビニル、ＰＥＴ（ポリエチレンテレフタレート）等を使用してもよいし、必要な強度が得られれば、各種の熱可塑性樹脂を使用することができる。更に、縦部材として、樹脂製に代えてステンレス鋼などの金属製パイプとすることもでき、樹脂製縦部材の内部にコンクリートを注入したり、あるいは鉄筋コンクリートを挿入したりして補強してもよい。
【００４８】
（８）縦部材、横部材、接続部材とは、同じ材質の樹脂製としてもよいが、異なる材質の樹脂製であってもよい。
【００４９】
（９）樹脂製縦部材、横部材、接続部材の構成材料に、粉体状の炭酸カルシウム（炭カル）等を混入させるようにしてもよい。このようにすると、構成材料の比重を大きくすることができ、雨水を貯留する際に生じる浮力に抗することができ、浮力対策として特別な施工が不必要となり、小さいスペースでもより大きい貯水量が確保できて好ましい。具体的には、１３％程度の炭カルを樹脂に混入させることにより、比重を１．０以上にすることができる。
【００５０】
（１０）上記構成材料に混入させる場合、炭カルに代えて、タルク、硫酸バリウムなどのウィスカーを混入させるようにしてもよい。これらは、炭カルに比べてアスペクト比が大きく、強度を高める効果が大きい。更に、ガラス繊維を上記構成部材に混入させても良い。ガラス繊維は、構成部材の比重を高めるだけでなく、強度、寸法安定性をも高めることができて好ましい。例えば、ガラス繊維を４．６ｗｔ％添加（２０ｗｔ％マスターバッチ１００に対して３０部添加）すると、比重は０．０３高くなり、強度は１５％向上し、成型時に収縮率は０．４％改善する。
【図面の簡単な説明】
【００５１】
【図１】本発明の一実施形態に係る点検孔用部材を用いた雨水貯留構造物の概略正面断面図
【図２】図１の雨水貯留構造物（被覆層を除く）の平面図
【図３】図１の雨水貯留構造物を構成する雨水貯留構造用組立部材の単位ブロックを示す斜視図
【図４】点検孔用部材の平面図
【図５】図５の点検孔用部材を裏面側から見た部分背面図
【符号の説明】
【００５２】
１          接続部材
２          横部材
３          縦部材
６          被覆層
１０        点検孔用部材
１０Ａ      点検孔用部材本体
１５        接当部（接当部材）
Ａ          三次元構造体
【図１】
2007308963.tif 000003
【図２】
2007308963.tif 000004
【図３】
2007308963.tif 000005
【図４】
2007308963.tif 000006
【図５】
2007308963.tif 000007